【事件の表示】
　平成　３年特許願第　　３３３９号「検索情報処理装置」拒絶査定に対する審判事件［平成　４年　８月３１日出願公開、特開平　４−２４３０７８］について、次のとおり審決する。
【結　論】
　本件審判の請求は、成り立たない。
【理　由】
　
１．手続の経緯・本願発明
　本願は、平成３年１月16日の出願であって、その請求項１に係る発明は、平成13年４月23日付け手続補正により補正された明細書の特許請求の範囲の請求項１に記載された次のとおりのものであると認める（以下、「本願発明」という。）。なお、平成14年３月22日付け手続補正は、平成14年８月15日付けで補正の却下の決定がなされ、該決定は確定した。
「同一テープに記録される複数のプログラムに関連した検索情報を一覧できるように作成する検索情報処理手段と、
　上記検索情報処理手段で作成された検索情報をプログラム記録の都度記憶するようにしたメモリ手段とを有し、
　上記検索情報処理手段では、上記テープへの記録開始の都度その最初の画像を上記検索情報とし、および／または上記テープに記録するプログラムの画像の一部を取り出して該取り出した画像を用いて新たな画像を順次生成して検索情報とし、
　同一テープへのプログラム記録が終了した段階で上記メモリ手段から検索情報を読み出してこれを一覧できるようにしたことを特徴とする検索情報処理装置。」
　
２．引用刊行物記載の発明
　これに対して、原査定の拒絶の理由に引用された、本願の出願の日前に頒布された刊行物である特開昭59-22275号公報（以下「引用例１」という。）には、図面とともに次の技術事項が記載されている。
(i) 「〔発明の技術分野〕
　本発明は磁気記録再生装置に係わり、特に記録モードでは記録されるプログラムに関するテープ位置等の制御情報を所定の磁気テープ位置に記録し、つぎの記録又は再生モードでは前記制御情報を再生してモニタ可能とし、且つ、この制御情報にもとづき記録再生するようにした磁気記録再生装置に関する。」（第１頁右下欄第１〜８行）
(ii) 「〔発明の目的〕
　本発明は上述した点に鑑みなされたもので、テープの所定値に録画されているプログラムの位置、時間録画可能な残り時間等のデータを記録して置き、再生時には記録されたデータをテレビ受像機に表示し、選択されたプログラムまで自動的にテープを早送りし、自動的に再生出来るよう構成した磁気記録再生装置を提供することを目的とする。
〔発明の概要〕
　本発明は磁気テープ走行位置を検出するテープ位置検出手段を設けてある。記録操作が行われると録画されるプログラムのデータとプログラムが録画された位置のデータとを映像信号に変換するようになっている。この映像信号と映像信号に係わるデータとを磁気テープの巻頭に記録して置き、再生された映像信号をモニタすることにより記録再生操作の参考となるよう計ってある。記録再生操作が行われると記憶装置に記憶されたデータに応じて自動的に記録再生制御を行なう。」（第２頁左下欄第18行〜同頁右上欄第17行）
(iii) 「第１図において、１はテープ位置検出回路である。テープ位置検出回路１はカセットテープ２の供給側リール台３と巻取側リール台４から回転検出器3a、4aと回転速度演算回路3b、4bを介して出力される供給側リール台３と巻取側リール台４の回転速度から夫々のリールに巻かれているテープ長を演算して出力する。テープ位置検出回路１は得られた位置データをシステムコントロール回路５と情報設定回路６に送出する。
　情報設定回路６は、制御釦Ｂ１、Ｂｎの操作に応じて録画するプログラムに係わるデータを切換器７の常閉接点7bと切換接点7cを介してRAM8に記憶する。録画開始時にはテープ位置検出回路１で得た位置データを先頭位置データとしてRAM8に記憶させる。録画終止時には終止位置データとテープ残量に係わるデータをRAM8に記憶させる。」（第２頁左下欄第１〜17行）
(iv) 「記録ビデオ信号Ｓ１は端子13からビデオ入力回路14、切換器15の常閉接点15b、切換接点15c、記録信号処理回路16、モード切換器17の常閉接点17b、切換接点17c、ビデオヘッド18を介して磁気テープ24に記録される。
　映像信号変換回路19は録画が終了した時点に前記RAM8に記憶された録画に関するプログラムのデータをゲート12を介して入力され、このデータを映像信号に変換し、切換器15の閉路された常開接点15a、切換接点15cを介してビデオヘッド18に送出する。
　システムコントロール回路５はRAM8のデータによりプログラムの録画が終了したことを知り制御信号Ｍ１〜Ｍｎにより供給側リール台３を制御し磁気テープ24を巻頭まで巻戻す。この磁気テープ24の巻頭の情報エリヤに前記映像信号変換回路19で得た映像信号に変換されたデータを記録する。記録されるデータすなわち制御情報を表に示す」（第２頁左下欄第18行〜同頁右下欄第16行）
(v) 「再生信号処理回路20は映像信号に変換されているデータをビデオ信号出力回路21、端子22を介してRF再生映像信号Ｓ２として出力する。このRF再生映像信号Ｓ２をテレビ受像機でモニタすると表に示すプログラムに関する画像を得ることができる。」（第３頁右上欄第１〜６行）
　
　上記記載事項、表及び図面の記載を総合勘案し、整理すると、結局、引用例１には、次の発明が記載されているものと認める。
　
　同一テープに録画される複数のプログラムの録画に関するデータを映像信号に変換したデータ（制御情報）を一覧できるように作成するシステムコントロール回路５と、
　上記システムコントロール回路５で作成された制御情報をプログラム録画の都度記憶するようにしたRAM8とを有し、
　上記システムコントロール回路５では、上記テープへの録画開始の都度その最初の位置データを上記制御情報とし、
　同一テープへのプログラム録画が終了した段階で上記テープから上記最初の位置データを含む制御情報を読み出してこれを一覧できるようにした
　検索情報処理装置。
　
　また、同じく原査定の拒絶の理由に引用された、本願の出願の日前に頒布された刊行物である特開昭63-244983号公報（以下「引用例２」という。）には、図面とともに次の技術事項が記載されている。
(i)「この発明は、マルチ画面見出しを有効活用できるようにしたマルチ画面見出し機能付き磁気記録再生装置に関する。」（第１頁左下欄第17〜19行）
(ii) 「コントロールトラックを利用し、検索用の頭出し信号（VISS）を付して録画した磁気テープを、頭出し信号に従って順次頭出ししつつ選抜再生し、選抜再生された画像を、その表示面積を縮小して一枚に寄せ集め、出来上がった画像をマルチ画面見出しとして表示できるようにした磁気記録再生装置が知られている。第３図に示すこの種の磁気記録再生装置１は、高速サーチモードを指定することで、頭出し信号が記録された位置を高速検索することができ、検索位置におけるコマーシャル部分等を避けるため、標準再生にして２分間後の画像データを、例えば５秒間程度再生し、再生画像のうち、立ち上がり時の画像の乱れのない再生開始1.5秒後の画像を記憶する。こうして、既に記録された番組についての見出し情報を収集することで、１枚の画像を複数の小画面に分割して表示するマルチ画面見出しを完成し、必要に応じてモニタ受像機２の画面2aに表示できるよう構成されている。」（第１頁右下欄第１〜19行）
(iii) 「上記従来のマルチ画面見出し表示機能付きの磁気記録再生装置１は、高速サーチモードにより得られたマルチ画面見出しを、磁気テープの巻き初め部分に挿入記録しておき、このマルチ画面見出しを再生することで、磁気テープの録画内容を一度に把握できるだけでなく、自動検索機能を利用し、希望する番組の選択再生や再生順序を指定した複数番組の自動再生が可能である。」（第２頁左上欄第１〜８行）
(iv) 「この発明は、・・・記録のつど検索用の頭出し信号を付して録画した磁気テープを、テープの巻き初めから頭出し信号に従って順次選抜再生する再生手段と、この再生手段により順次選抜再生された画像の一部を一枚に寄せ集めて得られる画像を、マルチ画面見出しとして記憶する画像メモリを有し、前記画像メモリに記憶されたマルチ画面見出しは、前記選抜再生後テープの巻き終わりから前記頭出し信号に従って順次挿入記録する構成としたことを特徴とするものである。」（第２頁左上欄第20行〜同頁右上欄第10行）
　
　さらに、同じく原査定の拒絶の理由に引用された、本願の出願の日前に頒布された刊行物である特開昭62-285289号公報（以下「引用例３」という。）には、図面とともに次の技術事項が記載されている。
(i) 「〔産業上の利用分野〕
　この発明は、ビデオテープレコーダ（VTR）に関する。
〔従来の技術〕
　現在のVTRは、一巻のテープに録音・録画されている曲や画像の位置をあらかじめリサーチしてテープカウンタで記憶しその位置迄早送りして希望のものを出すようになっている。
〔発明が解決しようとする課題〕
　収録された数が、２・３位の少数の場合はさ程不便を感じないが、その数が５以上のようにふえると不便となり選択ミスを生じ選択し直しとなることが考えられる。
　本発明は、この点を改良することを目的とする。」（第１頁左下欄第16行〜同頁右下欄第10行）
(ii) 「〔問題を解決するための手段〕
　本発明は、テープの収録内容（例えば順番・タイトル・時間・テープ位置・製作者等）の項目データを記憶し、その信号を送り出す機能を持ったIC（マイコン）を、テープカセットの適宜死空間内に組込み、そのカセットをビデオデッキに装填すると、前記のICを電気的または光学的に該デッキ内のテープ駆動用マイコンに伝達し、そのマイコンは受けたテープの前記項目データをテレビ画面に一覧表的に表示し、その一覧表から希望のものの順番号を選択し、該当キーを押すと上記マイコンからモータ制御信号を出力して所望の画面を早送り的に自動的にテレビ画面に表示するように構成したものである。」（第１頁右下欄第12行〜第２頁左上欄第５行）
(iii) 「〔実施例〕
　図面は、本発明の実施要領を例示するもので、第１図はテープの収録内容の項目データ（例　順番・タイトル・再生時間（分）・テープ位置（ｍ）・製作者等）の一覧表を示し、この表がテレビ画面に表示される。
　上記の項目データを記憶し、読み出し・送出する機能を有するROM1・RAM2・演算回路３・電源４等から成るIC（マイコン）５を作る。これを第２図のようにビデオテープのカセット６の適当な死空間に組付ける。」（第２頁左上欄第13行〜同頁右上欄第２行）
　
３．対　比
　本願発明と引用例１に記載された発明を対比する。
　引用例１に記載された発明における「録画」は、本願発明の「記録」に相当することは明らかである。引用例１に記載された発明における「制御情報」は、プログラムの録画に関するデータでありプログラムの検索に使用するものであるから、本願発明における「検索情報」に相当する。さらに、引用例１に記載された発明の「システムコントロール回路」は制御情報（検索情報）を一覧できるようにするものであるから、その限りで本願発明の「検索情報処理手段」に相当する。また、引用例１に記載された発明における「RAM8」は制御情報（検索情報）を記憶するものであるから、本願発明の「メモリ手段」に相当する。また、引用例１に記載された発明の「システムコントロール回路」（検索情報処理手段）は「制御情報」（検索情報）としての最初の位置データを読み出すものであり、最初のデータ（情報）を検索情報とするものである。そうすると、両者は、次の点で一致する。
 一致点
　同一テープに記録される複数のプログラムに関連した検索情報を一覧できるように作成する検索情報処理手段と、
　上記検索情報処理手段で作成された検索情報をプログラム記録の都度記憶するようにしたメモリ手段とを有し、
　上記検索情報処理手段では、上記テープへの記録開始の都度その最初の情報を上記検索情報とし、
　同一テープへのプログラム記録が終了した段階で検索情報を読み出してこれを一覧できるようにした
　検索情報処理装置。
そして、次の各点で相違する。
 相違点
(a) 「検索情報」に関し、本願発明が、検索情報処理手段において、テープへの記録の開始の都度、その最初の画像を検索情報としているのに対し、引用例１に記載された発明では、最初の位置データを検索情報としている点（以下、「相違点ａ」という。）。
(b) 検索情報の一覧に関し、本願発明が、検索情報をメモリ手段から読み出して一覧を行うのに対し、引用例１に記載された発明では、検索情報をテープから読み出すことにより一覧を行う点（以下、「相違点ｂ」という。）。
　
４．当審の判断
　そこで、上記各相違点について検討する。
　相違点ａについて：
　テープへの検索情報として画像を使用することは引用例２にもみられるように周知の技術である（この他にも、特開昭63-52391号公報（特に、第１図）を参照。）から、引用例１に記載された発明においても、検索情報として位置データに替えて上記周知技術のように画像を用いることは当業者が容易に想到できたものである。
　相違点ｂについて：
　引用例１に記載された発明は、RAM8（メモリ手段）に記憶されたデータをテープに記録した制御情報（検索情報）を録画後に再生し一覧表示するものである。また、引用例３には、記憶手段から録画に関する項目データを直接読み出してテレビ画面に一覧表示することが記載されているから、引用例１に記載の発明においても、RAM8（メモリ手段）に記載された制御手段（検索情報）をテープに記録することなく直接読み出して一覧できるようにすることは当業者が必要に応じて行う設計的事項である。
　
５．むすび
　したがって、本願発明は、引用例１乃至３に記載された発明及び上記周知技術に基づいて当業者が容易に発明をすることができたものと認められるので、特許法第29条第２項の規定により特許を受けることができない。
　
　よって、結論のとおり審決する。